(57)【要約】      （修正有）【課題】身体の凹凸に関わらず外刃を均一に肌と密着し、体毛の剃り残しが発生しない電気カミソリを提供する。【解決手段】回転式または往復式の電動かみそりにおいて、筐体である下ケース１５の外部より外刃ホルダー２内の空気を吸引し、外刃１の内側に負圧を発生させることで外刃１の上面に肌を均等に吸引密着させる。外刃１は負圧の効果を高め、しかも肌に密着した時に摩擦力が大きくなり過ぎないように、従来の電気かみそりより小さな形状とする。また負圧により外刃１に肌が吸い付くため、外刃１の表面を凸形状にして肌へ押し付ける必要がなく平面に近い形状とする。さらに、外刃１外刃ホルダー２の間にはひげを取り込むため一定の開口部を設け、この外刃ホルダー２の外刃１に対する開口部は外刃１の面と同じか0.5ミリメートルほど低い高さにする。【選択図】図１
2013132302.tif 000002
【特許請求の範囲】
【請求項１】
電動かみそりに空気の負圧を利用し肌への密着性を得る装置において、負圧の効果を高めつつ肌に密着した時に摩擦力が大きくなり過ぎないように、外刃の最大外形を２０ミリメートル程度まで小さくし、外刃の表面を平面に近い形状とする構造。
【請求項２】
電動かみそりに空気の負圧を利用し肌への密着性を得る装置において、外刃が数個に分割されている回転式電気かみそりの外刃１個のみに負圧を発生させ、この開口部から負圧を発生させる装置までの気密性を保持する構造。  
【請求項３】
電動かみそりに空気の負圧を利用し肌への密着性を得る装置において、肌を密着させたときに引っ張られてしわが寄ることを防止するため、筺体の外刃に対する開口部を外刃の面と同じか、０．５ミリメートルほど低い高さとする構造。
【請求項４】
電動かみそりに空気の負圧を利用し肌への密着性を得る装置において、可動構造を有している外刃ホルダーの気密性を保つために、負圧を発生させる外刃ホルダー開口部と負圧を発生させる装置まで繋ぐ区間に、弾性体のカバー又は内部の遮蔽部品を設ける構造。
【発明の詳細な説明】
【技術分野】
【０００１】
本発明は剃り残しが少ない電気かみそりに関するものである    
【先行技術文献】
【特許文献】
【０００２】
【特許文献１】特開２００９−７２４４８
【特許文献２】特開２００１−２１８９８７
【０００３】
【特許文献３】特開２００１−１９０８６８
【発明の概要】
【発明が解決しようとする課題】
【０００４】
従来の電気かみそりでは、外刃に肌を押し付けることにより密着させていたため、身体の凹凸によって外刃は部分的に肌と密着し、体毛の剃り残しが発生している。また、剃りこみ深さも肌へ押し付ける強さにより安定しない。非特許文献にみられるように、電気かみそりの内部より空気の負圧によって肌を吸い込む案は幾つか発案されている。
【０００５】
しかし従来の電気かみそりをそのまま使用し十分な吸い付け効果を得るためには、４００ワット近くの吸い込み力が必要なため非常に大きな装置になり、騒音や振動も大きくなり実用性がない。それを補うために負圧を保持する目的で外刃を囲むカップホルダーや、外刃より高い位置に外壁を設置する手法も考案されているが、肌が引っ掛かりしわが発生してしまい、均等な深剃り効果を得ることが出来ない。
【課題を解決するための手段】
【０００６】
回転式または往復式の電動かみそりにおいて、筺体の外部より空気を吸引し外刃の内側へ負圧を発生させる装置を設ける。外刃は負圧の効果を高め、しかも肌に密着した時に摩擦力が大きくなり過ぎないように、従来の電気かみそりより小さな形状とする。また負圧により外刃に肌が吸い付くため、外刃の表面を凸形状にして肌へ押し付ける必要がないため平面に近い形状とする。
【０００７】
負圧による吸い付け効果の効率を高めたことにより、騒音は５５デシベル程度にまで抑えることが出来る。外刃の外周には側面からのひげを取り込むため一定の隙間を設け、外刃ホルダーの外刃開口部は、外刃の面と同じか０．５ミリメートルほど低い高さにする。この開口部から負圧を発生させる装置まで繋ぐ区間は気密性を保持する構造とする。
【０００８】
外刃が数個に分割されている電気かみそりに適用する場合には、負圧を発生させる外刃は１個のみとし、この開口部から負圧を発生させる装置までの気密性を保持する構造とする。
【０００９】
但し、外刃ホルダーが肌の形状に追従する可動構造を有している場合は、肌と外刃ホルダー開口部の密閉性を保つことが容易であるので、全ての外刃に負圧を発生させることも可能である。可動構造を有している外刃ホルダー開口部と負圧を発生させる装置まで繋ぐ区間は、気密性を保つために弾性体のカバー又は内部の遮蔽部品を設ける。
【００１０】
この電気かみそりの外刃に肌を接触させると、肌は均等な負圧によって外刃へ吸引され外刃の形状に合わせて密着する。このことによりこれまでは剃りにくかった産毛やくせ毛を効率よく剃る事が出来る。
【００１１】
また、外刃と肌を密着させる負圧は吸引装置の吸引力により制御できるため、安定した剃りこみ深さを調整することができる。
【００１２】
負圧を発生させる装置と電動かみそりは柔軟性を持ちつつも、負圧を伝達する管でつながっている。空気の吸引装置を電動かみそりと別体にすることによって、電動かみそりを操作するうえで重過ぎ、または大き過ぎになることを避けているが、吸引力を２５０ワット程度に保った上で、騒音、振動、装置の大きさ、重さを抑えることが可能になった場合は、空気の吸引装置と電動かみそり本体は一体であることが望ましい。
【発明を実施するための形態】
【実施例】
【００１３】
以下、図面を参照して本発明の好ましい実施形態について詳細に説明する。
図１は回転式の電気かみそりへ本発明を実施した断面図である。
図２は電気かみそり、外部負圧伝達管、空気の吸引装置の斜視図である。
図３は外刃が数個に分割されている電気かみそりの斜視図である。
【００１４】
図１に示されているように、外刃１は外刃ホルダー２に固定されている。内刃４は内刃ホルダー５に固定されている。内刃ホルダー５はブッシュ８を挟んで内刃駆動用モーター６に固定されている。
【００１５】
空気の負圧を電動かみそりの内側に伝達する内部負圧伝達管１０は、筐体である下ケース１５に固定されており、外刃ホルダー２に開けられた穴より、外刃の内部へ負圧を伝える。
【００１６】
外刃ホルダー２は筐体である下ケース１５とねじ溝で組み合っている。内刃４、内刃ホルダー５、内刃駆動用モーター６、ブッシュ８は下ケース１５に固定されている。
【００１７】
図２に示されているように、内部負圧伝達管１０は、取り外しが可能な外部負圧伝達管１２を介して空気の吸引装置１８とつながっている。空気の吸引装置１８、もしくは外刃ホルダー２の内部には、毛くずを集めるために防塵用のフィルターを備えることが望ましい。このように空気の吸引装置１８より発生し、外部負圧伝達管１２を介して伝えられた負圧は外刃１より肌を吸い付けることになる。
【００１８】
図３は、外刃が３個に分割されており、可動構造を有している外刃ホルダーの外刃全てに負圧を発生させる場合である。気密性を保つために、各外刃ホルダーの外周部と電気かみそり本体を繋ぐ弾性体のカバーを設けている。
【図面の簡単な説明】
【００１９】
【図１】本発明の好ましい実施形態である負圧機構が組み込まれた回転式の電気かみそりの断面図である。
【図２】電気かみそり、外部負圧伝達管、空気の吸引装置の斜視図である。
【図３】外刃が数個に分割されている電気かみそりの斜視図である。
【符号の説明】
【００２０】
１：  外刃
２：  外刃ホルダー
４：  内刃
５：  内刃ホルダー
６：  内刃駆動用モーター
８：  ブッシュ
１０：  内部負圧伝達管
１２：  外部負圧伝達管
１５：  下ケース
１８：  空気の吸引装置
２１：  外刃ホルダーカバー
【図１】
2013132302.tif 000003
【図２】
2013132302.tif 000004
【図３】
2013132302.tif 000005